(57)【要約】【課題】  設定作業の手間を軽減することができる通信装置及び通信方法を提供する。【解決手段】  通信装置は、他装置との通信状態を監視するための監視フレームを受信する第１受信部及び第２受信部と、前記第１受信部により受信された監視フレームの識別情報に対応する識別情報を有する監視フレームが、該受信から所定の期間内に前記第２受信部により受信されたか否かを判定する判定部と、前記判定部が、前記第１受信部により受信された監視フレームの識別情報に対応する識別情報を有する監視フレームが前記第２受信部により受信されていないと判定した場合、前記第１受信部により受信された監視フレームの識別情報と対応する識別情報を有する監視フレームを送信する送信部とを有する。【選択図】図４
2018142824.tif 000002
【特許請求の範囲】
【請求項１】
他装置との通信状態を監視するための監視フレームを受信する第１受信部及び第２受信部と、
前記第１受信部により受信された監視フレームの識別情報に対応する識別情報を有する監視フレームが、該受信から所定の期間内に前記第２受信部により受信されたか否かを判定する判定部と、
前記判定部が、前記第１受信部により受信された監視フレームの識別情報に対応する識別情報を有する監視フレームが前記第２受信部により受信されていないと判定した場合、前記第１受信部により受信された監視フレームの識別情報と対応する識別情報を有する監視フレームを送信する送信部とを有することを特徴とする通信装置。
【請求項２】
フレームリストを記憶する記憶部を有し、
前記判定部は、前記第１受信部及び前記第２受信部により受信された監視フレームの識別情報を前記フレームリストに登録し、前記フレームリストに基づいて、前記第１受信部により受信された監視フレームの識別情報に対応する識別情報を有する監視フレームが前記第２受信部により受信されたか否かを判定することを特徴とする請求項１に記載の通信装置。
【請求項３】
前記第１受信部により受信された監視フレームの識別情報と対応する識別情報を前記送信部に設定する設定部を有し、
前記送信部は、前記設定部により設定された識別情報が付与された監視フレームを送信することを特徴とする請求項１または２に記載の通信装置。
【請求項４】
前記判定部は、動作設定に応じて判定を停止することを特徴とする請求項１乃至３の何れかに記載の通信装置。
【請求項５】
他装置との通信状態を監視するための監視フレームを第１受信部及び第２受信部により受信し、
前記第１受信部により受信された監視フレームの識別情報に対応する識別情報を有する監視フレームが、該受信から所定の期間内に前記第２受信部により受信されたか否かを判定し、
前記第１受信部により受信された監視フレームの識別情報に対応する識別情報を有する監視フレームが前記第２受信部により受信されていないと判定した場合、前記第１受信部により受信された監視フレームの識別情報と対応する識別情報を有する監視フレームを送信することを特徴とする通信方法。
【発明の詳細な説明】
【技術分野】
【０００１】
本件は、通信装置及び通信方法に関する。
【背景技術】
【０００２】
例えば広域イーサネット（登録商標、以下同様）において、レイヤ２のレベルでネットワークを保守管理するイーサネットＯＡＭ（Operations, Administrations and Maintenance）の技術が用いられている。イーサネットＯＡＭは、例えば、ＩＥＥＥ（The Institute of Electrical and Electronics Engineers, Inc.）８０２．３ａｇとＩＴＵ−Ｔ（International Telecommunication Union Telecommunication Standardization Sector）勧告Ｙ．１７３１に規定されている。
【０００３】
イーサネットＯＡＭでは、レイヤ２スイッチなどの通信装置内のＯＡＭ処理の終端点として、ＭＥＰ（Maintenance End Point）が用いられる（例えば特許文献１及び２参照）。通信装置は、ＭＥＰ間において、接続性を検査するＣＣＭ（Continuity Check Message）フレームを送受信することにより、通信装置間の通信状態を通信経路ごとに監視することができる。
【先行技術文献】
【特許文献】
【０００４】
【特許文献１】特開２００９−７１６１９号公報
【特許文献２】特開２０１２−１７００００号公報
【発明の概要】
【発明が解決しようとする課題】
【０００５】
ＭＥＰは、例えばＶＬＡＮ（Virtual Local Area Network）などの論理パスごとに、論理パスの両端の各ノードの通信装置にそれぞれ設定される。ＭＥＰの設定作業は、例えばネットワークの監視制御システムなどの操作により行われるため、論理パスが多いほど、その設定作業の手間が増加するという問題がある。
【０００６】
そこで本件は、設定作業の手間を軽減することができる通信装置及び通信方法を提供することを目的とする。
【課題を解決するための手段】
【０００７】
１つの態様では、通信装置は、他装置との通信状態を監視するための監視フレームを受信する第１受信部及び第２受信部と、前記第１受信部により受信された監視フレームの識別情報に対応する識別情報を有する監視フレームが、該受信から所定の期間内に前記第２受信部により受信されたか否かを判定する判定部と、前記判定部が、前記第１受信部により受信された監視フレームの識別情報に対応する識別情報を有する監視フレームが前記第２受信部により受信されていないと判定した場合、前記第１受信部により受信された監視フレームの識別情報と対応する識別情報を有する監視フレームを送信する送信部とを有する。
【０００８】
１つの態様では、通信方法は、他装置との通信状態を監視するための監視フレームを第１受信部及び第２受信部により受信し、前記第１受信部により受信された監視フレームの識別情報に対応する識別情報を有する監視フレームが、該受信から所定の期間内に前記第２受信部により受信されたか否かを判定し、前記第１受信部により受信された監視フレームの識別情報に対応する識別情報を有する監視フレームが前記第２受信部により受信されていないと判定した場合、前記第１受信部により受信された監視フレームの識別情報と対応する識別情報を有する監視フレームを送信する方法である。
【発明の効果】
【０００９】
１つの側面として、設定作業の手間を軽減することができる。
【図面の簡単な説明】
【００１０】
【図１】ネットワークシステムの一例を示す構成図である。
【図２】ＣＣＭフレームの一例を示す図である。
【図３】ＣＣＭフレームの他の例を示す図である。
【図４】ＭＥＰが自動的に設定されたネットワークシステムの一例を示す図である。
【図５】フレームリストの一例を示す図である。
【図６】通信装置の追加手順の一例を示すフローチャートである。
【図７】通信装置の一例を示す構成図である。
【図８】装置制御部の一例を示す構成図である。
【図９】ＭＥＰの自動設定処理の一例を示すフローチャートである。
【図１０】対向する通信装置のＭＥＰの自動設定処理の一例を示すフローチャートである。
【発明を実施するための形態】
【００１１】
図１は、ネットワークシステムの一例を示す構成図である。ネットワークシステムには、一例として、通信装置８ａ〜８ｄを有するネットワークＮＷと、ネットワークＮＷを監視制御するＯｐＳ（Operation System）９０と、ＯｐＳ９０とネットワークＮＷの通信を中継するＤＣＮ（Data Communication Network）９１とが含まれる。
【００１２】
通信装置８ａ〜８ｄとしては、例えばイーサネットフレーム（以下、「フレーム」と表記）を転送するレイヤ２スイッチが挙げられるが、これに限定されない。また、通信装置８ａ〜８ｄは、一例として、直列に接続されているが、リング形状となるように接続されてもよい。なお、通信装置８ｃは、通信装置８ａ，８ｂ，８ｄが設置されたネットワークＮＷに新たに追加された新規の装置であると仮定する。
【００１３】
通信装置８ａ〜８ｄの間には、論理パスの一例としてＶＬＡＮが設定されており、ＶＬＡＮを介してフレームが送受信される。ＶＬＡＮはＶＩＤ（VLAN Identifier）により識別される。本例では、通信装置８ａ〜８ｄを経由するＶＬＡＮのＶＩＤを１００とし、通信装置８ｂ〜８ｄを経由するＶＬＡＮのＶＩＤを２００とし、通信装置８ａ〜８ｃを経由するＶＬＡＮのＶＩＤを３００とする。
【００１４】
各ＶＬＡＮの経路の両端の各通信装置８ａ〜８ｄには、例えばＩＴＵ−Ｔ勧告Ｙ．１７３１またはＩＥＥＥ８０２．１ａｇで規定されたイーサネットＯＡＭの機能を実行するＭＥＰ８０〜８４が設定される。ＶＩＤ＝１００のＶＬＡＮについては、通信装置８ａにＭＥＰ８０が設定され、通信装置８ｄにＭＥＰ８１が設定される。また、ＶＩＤ＝２００のＶＬＡＮについては、通信装置８ｂにＭＥＰ８２が設定され、通信装置８ｄにＭＥＰ８３が設定される。また、ＶＩＤ＝３００のＶＬＡＮについて、既設の通信装置８ａにはＭＥＰ８４が設定されているが、新規に追加された通信装置８ｃにはＭＥＰが設定されていない。
【００１５】
符号Ｇ０〜Ｇ４には、ＭＥＰ８０〜８４の設定の一例が示されている。ＭＥＰ８０〜８４の設定には、「ＭＥＧ（Maintenance Entity Group）  ＩＤ」、「ＭＥＧ  Ｌｅｖｅｌ」、及び「ＭＥＰ  ＩＤ」が含まれる。「ＭＥＧ  ＩＤ」は、ＭＥＰ８０〜８４同士で結ばれる管理区間であるＭＥ（Maintenance Entity）の集合体であるＭＥＧの識別子である。「ＭＥＧ  Ｌｅｖｅｌ」は、異なるＭＥＧの処理フロー同士を区別するために定義されたＭＥＰの動作制限のレベルであり、０から７までの８段階が存在する。「ＭＥＰ  ＩＤ」は、ＭＥＧ内におけるＭＥＰ８０〜８４の識別子であり、１から８１９１までの数字で定義されている。
【００１６】
ＭＥＰ８０，８１は、ともにＶＩＤ＝１００のＶＬＡＮの監視に用いられるため、符号Ｇ０，Ｇ１で示されるように、一例として、共通の「ＭＥＧ  ＩＤ」＝「Ｆｕｊｉｔｓｕ１」と共通の「ＭＥＧ  Ｌｅｖｅｌ」＝「３」が設定されている。また、ＭＥＰ８０には「ＭＥＰ  ＩＤ」＝「１」が設定され、ＭＥＰ８１には「ＭＥＰ  ＩＤ」＝「２」が設定されている。
【００１７】
ＭＥＰ８２，８３は、ともにＶＩＤ＝２００のＶＬＡＮの監視に用いられるため、符号Ｇ２，Ｇ３で示されるように、一例として、共通の「ＭＥＧ  ＩＤ」＝「Ｆｕｊｉｔｓｕ２」と共通の「ＭＥＧ  Ｌｅｖｅｌ」＝「４」が設定されている。また、ＭＥＰ８２には「ＭＥＰ  ＩＤ」＝「１」が設定され、ＭＥＰ８３には「ＭＥＰ  ＩＤ」＝「２」が設定されている。また、ＭＥＰ８４には、符号Ｇ４で示されるように、「ＭＥＧ  ＩＤ」＝「Ｆｕｊｉｔｓｕ３」と「ＭＥＧ  Ｌｅｖｅｌ」＝「３」と「ＭＥＰ  ＩＤ」＝「１」が設定されている。
【００１８】
ＭＥＰ８０〜８４は、それぞれ、ＶＬＡＮごとの接続性を検査するためにＣＣＭフレームを生成して送信する。これにより、ＭＥＰ８０とＭＥＰ８１の間、及びＭＥＰ８２とＭＥＰ８３の間ではＣＣＭフレームが送受信される。ＭＥＰ８０〜８４は、同一のＭＥＧのＭＥＰ８０〜８４から所定の期間ごとにＣＣＭフレームを受信していない場合、例えば警報としてＬＯＣ（Loss Of Continuity）を検出し、ＤＣＮ９１内のアウトバンド回線を介してＯｐＳ９０に通知する（点線の矢印を参照）。なお、ＣＣＭフレームは、他装置との通信状態を監視するための監視フレームの一例である。
【００１９】
図２は、ＣＣＭフレームの一例を示す図である。本例では、一例としてＩＴＵ−Ｔ勧告Ｙ．１７３１に規定されたＣＣＭフレームを挙げる。図２において、横方向に並ぶ数値（１〜８）はビット位置を表し、縦方向に並ぶ数値はバイト位置を表す。
【００２０】
ＣＣＭフレームは、宛先であるＤＡ（Destination Address）、送信元であるＳＡ（Source Address）、ＥｔｈｅｒＴｙｐｅ(ｖｌａｎ)、ＶＩＤ、ＥｔｈｅｒＴｙｐｅ(ＯＡＭ)、ＭＥＬ、Ｖｅｒｓｉｏｎ、ＯｐＣｏｄｅ、Ｒ、及びＰｅｒｉｏｄを含む。ＤＡには、複数の通信装置８ａ〜８ｄを宛先とするマルチキャストアドレスが設定される。ＥｔｈｅｒＴｙｐｅ(ｖｌａｎ)には０ｘ８１００（０ｘは１６進数表記）が設定される。
【００２１】
ＭＥＬにはＭＥＰ８０〜８４の「ＭＥＧ  Ｌｅｖｅｌ」が設定される。Ｖｅｒｓｉｏｎには０ｘ００が設定される。ＯｐＣｏｄｅには、ＣＣＭフレームを示す０ｘ０１が設定される。Ｒは、ＲＤＩ（Remote Defect Indication）の検出の有無を示す。Ｐｅｒｉｏｄには、ＣＣＭフレームの送受信の周期が設定される。
【００２２】
さらに、ＣＣＭフレームは、さらにＴＬＶ（Type, Length, and Value）  Ｏｆｆｓｅｔ、Ｓｅｑｕｅｎｃｅ  Ｎｕｍｂｅｒ、ＭＥＰ  ＩＤ、ＭＥＧ  ＩＤ、ＴｘＦＣｆ、ＲｘＦＣｂ、ＴｘＦＣｂ、Ｒｅｓｅｒｖｅｄ、Ｅｎｄ  ＴＬＶ、ＦＣＳ（Frame Check Sequence）を含む。Ｓｅｑｕｅｎｃｅ  Ｎｕｍｂｅｒの全バイトには０ｘ００が設定される。
【００２３】
ＴｘＦＣｆ及びＴｘＦＣｂは、ＣＣＭフレームの送信カウント数を示し、ＲｘＦＣｂは、ＣＣＭフレームの受信カウント数を示す。また、Ｒｅｓｅｒｖｅｄは予約領域であり、ＦＣＳはデータの誤り訂正符号である。
【００２４】
図３は、ＣＣＭフレームの他の例を示す図である。本例では、一例としてＩＥＥＥ８０２．３ａｇに規定されたＣＣＭフレームを挙げる。図３において、横方向に並ぶ数値（１〜８）はビット位置を表し、縦方向に並ぶ数値はバイト位置を表す。
【００２５】
本例のＣＣＭフレームには、上記のＣＣＭフレームの「ＭＥＧ  ＩＤ」に代えて、「ＭＡ（Maintenance Association）  ＩＤ」が含まれる。「ＭＡ  ＩＤ」は、「ＭＥＧ  ＩＤ」と同様にＭＥの集合体の識別子である。なお、以下の説明では、「ＭＥＧ  ＩＤ」」を含むＣＣＭフレームを例に挙げるが、「ＭＡ  ＩＤ」を含むＣＣＭフレームの場合についても同様に説明される。
【００２６】
再び図１を参照すると、ＣＣＭフレームは、一組のＭＥＰ８０〜８３の間において、一方向ではなく、双方向に伝送される。例えば、ＭＥＰ８０，８１の間では、ＣＣＭフレームが通信装置８ｂ，８ｃを介して双方向に伝送され、ＭＥＰ８２，８３の間では、ＣＣＭフレームが通信装置８ｃを介して双方向に伝送される。
【００２７】
したがって、伝送方向の相違するＣＣＭフレームは、各通信装置８ａ〜８ｄにおいてＶＬＡＮごとに対（ペア）を構成する。例えば、ＶＩＤ＝１００のＶＬＡＮについて、ＭＥＰ８０からＭＥＰ８１に伝送されるＣＣＭフレーム、及びＭＥＰ８１からＭＥＰ８０に伝送されるＣＣＭフレームは、対を構成する。また、ＶＩＤ＝２００のＶＬＡＮについて、ＭＥＰ８２からＭＥＰ８３に伝送されるＣＣＭフレーム、及びＭＥＰ８３からＭＥＰ８２に伝送されるＣＣＭフレームは、対を構成する。以降の説明では、上記のように対を構成する一組のＣＣＭフレームを「ペアフレーム」と表記する。
【００２８】
ペアフレーム同士は、監視対象のＶＬＡＮが共通であるため、「ＭＥＧ  ＩＤ」及び「ＭＥＧ  Ｌｅｖｅｌ」が同一である。また、「ＭＥＰ  ＩＤ」は、ＭＥＧごとのＭＥＰ８０〜８４の固有値であるため、同一のＭＥＧ内のペアフレーム同士で相違する値に設定される。このように、ペアフレーム同士の「ＭＥＧ  ＩＤ」、「ＭＥＧ  Ｌｅｖｅｌ」、及び「ＭＥＰ  ＩＤ」は対応する。なお、「ＭＥＧ  ＩＤ」、「ＭＥＧ  Ｌｅｖｅｌ」、及び「ＭＥＰ  ＩＤ」はＣＣＭフレームの識別情報の一例である。
【００２９】
上述したように、新規に追加された通信装置８ｃには、ＶＩＤ＝３００のＶＬＡＮに対応するＭＥＰが未設定である。例えば、ＭＥＰの設定作業を例えばＯｐＳ９０の操作により行った場合、ＶＬＡＮ数が多いほど、設定対象のＭＥＰ数が増加し、その設定作業の手間が増加する。
【００３０】
そこで、通信装置８ｃは、ＭＥＰ８０〜８４から受信したＣＣＭフレームを監視し、ペアフレームが受信されないＣＣＭフレームを検出する。そして、通信装置８ｃは、そのＣＣＭフレームの識別情報に基づいて自動的にＭＥＰを設定することにより、ＭＥＰの設定作業の手間を軽減する。
【００３１】
図４は、ＭＥＰが自動的に設定されたネットワークシステムの一例を示す図である。図４において、図１と共通する構成には同一の符号を付し、その説明は省略する。
【００３２】
通信装置８ｃは、ＭＥＰ８０〜８４から受信したＣＣＭフレームを監視し、ＭＥＰ８４から受信したＣＣＭフレームに対応するペアフレームが受信されていないと判定する。ＣＣＭフレームは所定の期間ごとに送受信されているため、通信装置８ｃは、ＭＥＰ８４からＣＣＭフレームを受信してから所定の期間内にペアフレームを受信していないことを検出する。なお、ＣＣＭフレームの送受信の期間は、ＣＣＭフレーム内のＰｅｒｉｏｄにより決定される。
【００３３】
通信装置８ｃは、ＭＥＰ８４のＣＣＭフレームの「ＭＥＧ  ＩＤ」、「ＭＥＧ  Ｌｅｖｅｌ」、及び「ＭＥＰ  ＩＤ」に基づいてＭＥＰ８５を設定する。符号Ｇ５は、ＭＥＰ８５の設定の一例を示す。
【００３４】
ＭＥＰ８５の「ＭＥＧ  ＩＤ」は、ＭＥＰ８４と同じ「Ｆｕｊｉｔｓｕ３」に設定され、ＭＥＰ８５の「ＭＥＧ  Ｌｅｖｅｌ」は、ＭＥＰ８４と同じ「３」に設定される。また、ＭＥＰ８５の「ＭＥＰ  ＩＤ」は、ＭＥＰ８４の「ＭＥＰ  ＩＤ」とは異なる値である「１００１」に設定される。
【００３５】
より具体的には、ＭＥＰ８５の「ＭＥＰ  ＩＤ」には、ＭＥＰ８４の「ＭＥＰ  ＩＤ」である「１」に１０００を加算することで得られる「１００１」が設定される。このため、ＭＥＰ８５の「ＭＥＰ  ＩＤ」は、ＭＥＰ８４の「ＭＥＰ  ＩＤ」とは異なる値に設定される。なお、ＭＥＰ８５の「ＭＥＰ  ＩＤ」は、上記のような加算による算出に限定されず、所定の規則に従ってＭＥＰ８４の「ＭＥＰ  ＩＤ」とは異なる値に設定されればよい。
【００３６】
また、ＭＥＰ８０〜８５には、ＣＣＭフレームの送受信相手のＭＥＰ８０〜８５を示す「ｐｅｅｒＭＥＰ  ＩＤ」が設定される。通信装置８ｃは、ＭＥＰ８４からのＣＣＭフレームの「ＭＥＰ  ＩＤ」（＝１）に基づきＭＥＰ８５の「ｐｅｅｒＭＥＰ  ＩＤ」を「１」に設定する。また、通信装置８ａは、ＭＥＰ８４の設定時、「ｐｅｅｒＭＥＰ  ＩＤ」を未設定または所定値としておき、ＭＥＰ８５からＣＣＭフレームを受信したとき、そのＣＣＭフレームの「ＭＥＰ  ＩＤ」（＝１００１）に基づきＭＥＰ８４の「ｐｅｅｒＭＥＰ  ＩＤ」を「１００１」に設定する。
【００３７】
通信装置８ｃは、所定期間、ＣＣＭフレームをキャプチャしてフレームリストに登録し、フレームリストから、ペアフレームが受信されていないＣＣＭフレームを検索する。このため、通信装置８ｃは、ＣＣＭフレームの伝送処理と並行してＣＣＭフレームの解析処理を行う必要がなく、伝送処理の速度より低い速度で解析処理を行うことができる。
【００３８】
図５は、フレームリストの一例を示す図である。フレームリストには、ＣＣＭフレームの受信時刻（「時刻」参照）、ＥｔｈｅｒＴｙｐｅ、ＶＩＤ、「ＭＥＧ  ＩＤ」、「ＭＥＧ  Ｌｅｖｅｌ」、「ＭＥＰ  ＩＤ」、ＯｐＣｏｄｅ、及びＰｅｒｉｏｄ（ms）が登録されている。なお、「Ｎｏ．」はフレームリストに登録されたＣＣＭフレームの識別番号である。
【００３９】
Ｎｏ．１，６，１１，１６，２１，２６のＣＣＭフレームは、ＭＥＰ８０のＣＣＭフレームのキャプチャデータであり、Ｎｏ．２，７，１２，１７，２２，２７のＣＣＭフレームは、ＭＥＰ８１のＣＣＭフレームのキャプチャデータである。また、Ｎｏ．３，８，１３，１８，２３，２８のＣＣＭフレームは、ＭＥＰ８２のＣＣＭフレームのキャプチャデータであり、Ｎｏ．５，１０，１５，２０，２５のＣＣＭフレームは、ＭＥＰ８３のＣＣＭフレームのキャプチャデータである。Ｎｏ．４，９，１４，１９，２４のＣＣＭフレームは、ＭＥＰ８４のＣＣＭフレームのキャプチャデータである。
【００４０】
通信装置８ｃは、キャプチャデータのＶＩＤ、「ＭＥＧ  ＩＤ」、「ＭＥＧ  Ｌｅｖｅｌ」、及び「ＭＥＰ  ＩＤ」から、ペアフレームの関係を有する一組のＣＣＭフレームのキャプチャデータを識別する。また、通信装置８ｃは、キャプチャデータのＰｅｒｉｏｄ（本例では３．３（ms））からＣＣＭフレームの送受信の周期を認識し、キャプチャデータの受信時刻から、その周期内において、ペアフレームの関係を有する一組のＣＣＭフレームの受信の有無を判定する。
【００４１】
これにより、通信装置８ｃは、ペアフレームの関係を有するＭＥＰ８０，８１の各ＣＣＭフレームが受信されていると判定し、ペアフレームの関係を有するＭＥＰ８２，８３の各ＣＣＭフレームが受信されていると判定する。つまり、通信装置８ｃは、ＭＥＰ８０〜８３の各ＣＣＭフレームに対応するペアフレームが受信されていると判定する。また、通信装置８ｃは、ＭＥＰ８４のＣＣＭフレームに対応するペアフレームが受信されていないと判定する。
【００４２】
したがって、通信装置８ｃは、ＭＥＰ８４のＣＣＭフレームのキャプチャデータ（点線枠を参照）に基づきＭＥＰ８５を設定する。より具体的には、通信装置８ｃは、ＭＥＰ８４のＣＣＭフレームのキャプチャデータのＶＩＤ、「ＭＥＧ  ＩＤ」、「ＭＥＧ  Ｌｅｖｅｌ」、「ＭＥＰ  ＩＤ」、及びＰｅｒｉｏｄに基づいてＭＥＰ８５を設定する。これにより、ＭＥＰ８５から、ＭＥＰ８４のＣＣＭフレームとペアフレームの関係を有するＣＣＭフレームが送信される。
【００４３】
図６は、通信装置８ｃの追加手順の一例を示すフローチャートである。まず、作業者は、ネットワークＮＷに追加する通信装置８ｃを、既設の通信装置８ｂ及び通信装置８ｄの間に設置する（ステップＳｔ１）。次に、作業者は、ＯｐＳ９０から各通信装置８ａ〜８ｃに対し、通信装置８ａ〜８ｃの間のＶＬＡＮを設定する（ステップＳｔ２）。これにより、主信号のフレームが各ＶＬＡＮを介して伝送される。
【００４４】
次に、作業者は、ＶＩＤ＝３００のＶＬＡＮについて、追加した通信装置８ｃに対向する通信装置８ａにＯｐＳ９０からＭＥＰ８４を設定する（ステップＳｔ３）。これにより、ＭＥＰ８４からＣＣＭフレームが送信され始めるが、通信装置８ｃにはＭＥＰ８５が設定されていないため、ペアフレームとなるＣＣＭフレームがＭＥＰ８４に返信されない。このため、ＭＥＰ８４は、ＬＯＣなどの警報を検出する。
【００４５】
次に、作業者は、ＯｐＳ９０から通信装置８ｃに対し、ＭＥＰの自動設定モードをＯＮに設定する（ステップＳｔ４）。次に、追加された通信装置８ｃはＭＥＰ８５を自動的に設定する（ステップＳｔ５）。これにより、ＭＥＰ８４のＣＣＭフレームに対応するペアフレームとなるＣＣＭフレームがＭＥＰ８５からＭＥＰ８４に送信され始めるため、ＭＥＰ８４は警報を解除する。
【００４６】
次に、作業者は、ＯｐＳ９０から通信装置８ｃに対し、ＭＥＰの自動設定モードをＯＦＦに設定する（ステップＳｔ６）。このように、通信装置８ｃは、ＭＥＰの自動設定モードがＯＮに設定された場合だけ、ＭＥＰ８５を自動設定するため、不適切なＣＣＭフレームに基づき誤ってＭＥＰを自動設定することが防止される。なお、本例では、通信装置８ｃを挙げてＭＥＰの設定を説明したが、他の通信装置８ａ，８ｂ，８ｄも通信装置８ｃと同様にＭＥＰを設定することができる。
【００４７】
次に通信装置８ａ〜８ｄの構成を述べる。
【００４８】
図７は、通信装置８ａ〜８ｄの一例を示す構成図である。通信装置８ａ〜８ｄは、装置制御部１と、回線インターフェース（ＩＦ）部２ａ，２ｂと、スイッチ（ＳＷ）部３とを有する。
【００４９】
回線インターフェース（ＩＦ）部２ａ，２ｂは、他の通信装置８ａ〜８ｄと伝送路により接続され、ＶＬＡＮを介してフレームを送受信する。例えば通信装置８ｃの場合、一方の回線ＩＦ部２ａは通信装置８ｂとフレームを送受信し、他方の回線ＩＦ部２ｂは通信装置８ｄとフレームを送受信する。ＳＷ部３は、回線ＩＦ部２ａから出力されたフレームを回線ＩＦ部２ｂに出力し、回線ＩＦ部２ｂから出力されたフレームを回線ＩＦ部２ａに出力する。
【００５０】
動作制御部１０５は、通信装置８ａ〜８ｄの動作を制御する。また、動作制御部１０５は、回線ＩＦ部２ａ，２ｂから入力されるＣＣＭフレームをキャプチャしてフレームリストに登録し、フレームリストに基づき、ＣＣＭフレームごとに所定期間内のペアフレームの受信の有無を判定する。動作制御部１０５は、判定結果からペアフレームが受信されていないＣＣＭフレームを検出し、そのＣＣＭフレームのキャプチャデータからＭＥＰを設定する。
【００５１】
回線ＩＦ部２ａ，２ｂは、スイッチインターフェース（ＳＷ−ＩＦ）部２０と、主信号処理部２１と、入力フレーム処理部２２と、出力フレーム処理部２３とを有する。さらに、回線ＩＦ部２ａ，２ｂは、ＰＨＹ（PHYysical layer）／ＭＡＣ（Media Access Control）部２４と、受信ポート２５と、送信ポート２６と、ＯＡＭ処理部２７と、回線設定テーブル２８とを有する。
【００５２】
受信ポート２５は、フレームの光信号を受信して電気信号に変換しＰＨＹ／ＭＡＣ部２４に出力する。受信ポート２５は、例えばフォトダイオードなどにより構成される。
【００５３】
送信ポート２６は、ＰＨＹ／ＭＡＣ部２４から入力されたフレームを電気信号から光信号に変換して伝送路に送信する。送信ポート２６は、例えばレーザダイオードなどにより構成される。
【００５４】
ＰＨＹ／ＭＡＣ部２４は、例えばＡＳＩＣ（Application Specific Integrated Circuit）などにより構成され、フレームの物理レイヤ及びＭＡＣレイヤの処理を行う。ＰＨＹ／ＭＡＣ部２４は、受信ポート２５から入力されたフレームを処理して入力フレーム処理部２２に出力し、出力フレーム処理部２３から入力されたフレームを処理して送信ポート２６に出力する。
【００５５】
入力フレーム処理部２２は、ＰＨＹ／ＭＡＣ部２４から入力されたフレームのうち、主信号のフレームを主信号処理部２１に出力し、ＣＣＭフレームをＯＡＭ処理部２７に出力する。入力フレーム処理部２２は、回線設定テーブル２８に基づいてＣＣＭフレームを識別する。回線設定テーブル２８には、例えばＣＣＭフレームのＥｔｈｅｒＴｙｐｅ（ＯＡＭ）及びＶＩＤが設定されている。なお、回線ＩＦ部２ａ，２ｂの入力フレーム処理部２２は、ＣＣＭフレームを受信する第１受信部及び第２受信部の一例である。
【００５６】
出力フレーム処理部２３は、主信号処理部２１から入力された主信号のフレームと、ＯＡＭ処理部２７から入力されたＣＣＭフレームを送信ポート２６に出力する。なお、点線の矢印はＣＣＭフレームの経路を示す。なお、入力フレーム処理部２２及び出力フレーム処理部２３は、例えばＦＰＧＡ（Field Programmable Gate Array）などにより構成される。
【００５７】
主信号処理部２１は、主信号のフレームに対し所定の処理を実行する。主信号処理部２１は、入力フレーム処理部２２から入力された主信号のフレームを処理してＳＷ−ＩＦ部２０に出力し、ＳＷ−ＩＦ部２０から入力された主信号のフレームを処理して出力フレーム処理部２３に出力する。
【００５８】
ＳＷ−ＩＦ部２０は、回線ＩＦ部２ａ，２ｂとＳＷ部３との間のフレームの変換処理を実行する。ＳＷ−ＩＦ部２０は、主信号処理部２１から入力されたフレームを変換してＳＷ部３に出力し、ＳＷ部３から入力されたフレームを変換して主信号処理部２１に出力する。回線ＩＦ部２ａのＳＷ−ＩＦ部２０から出力されたフレームは、ＳＷ部３を経由して回線ＩＦ部２ｂのＳＷ−ＩＦ部２０に入力される。また、回線ＩＦ部２ｂのＳＷ−ＩＦ部２０から出力されたフレームは、ＳＷ部３を経由して回線ＩＦ部２ａのＳＷ−ＩＦ部２０に入力される。なお、主信号処理部２１、ＳＷ−ＩＦ部２０、ＳＷ部３は、例えばＦＰＧＡなどにより構成される。
【００５９】
ＯＡＭ処理部２７は、例えばＦＰＧＡなどにより構成され、ＭＥＰ８０〜８５に該当する。ＯＡＭ処理部２７は、入力フレーム処理部２２から入力されたＣＣＭフレームを終端処理する。ＯＡＭ処理部２７は、ＣＣＭフレームからＶＩＤ、「ＭＥＧ  ＩＤ」、「ＭＥＧ  Ｌｅｖｅｌ」、及び「ＭＥＰ  ＩＤ」などの情報を取得して装置制御部１に出力する。
【００６０】
また、ＯＡＭ処理部２７は、装置制御部１から設定された「ＭＥＧ  ＩＤ」、「ＭＥＧ  Ｌｅｖｅｌ」、及び「ＭＥＰ  ＩＤ」などの情報が付与されたＣＣＭフレームを生成して出力フレーム処理部２３に出力する。ＯＡＭ処理部２７は、装置制御部１によるペアフレームの受信の有無の判定結果に応じてＣＣＭフレームを生成する。
【００６１】
装置制御部１は、フレームリストに基づき、受信したＣＣＭフレームに対応するペアフレームの受信の有無を判定する。一組のペアフレームの伝送方向は相違するため、一組のペアフレームの一方は回線ＩＦ部２ａの入力フレーム処理部２２で受信され、他方は回線ＩＦ部２ｂの入力フレーム処理部２２で受信される。このため、装置制御部１は、回線ＩＦ部２ａ（２ｂ）により受信されたＣＣＭフレームに対応するペアフレームが、回線ＩＦ部２ｂ（２ａ）により受信されたか否かを判定することとなる。
【００６２】
したがって、回線ＩＦ部２ａのＯＡＭ処理部２７は、回線ＩＦ部２ａの入力フレーム処理部２２により受信されたＣＣＭフレームに対応するペアフレームが回線ＩＦ部２ｂの入力フレーム処理部２２により受信されていないと判定された場合、そのペアフレームを送信する。また、回線ＩＦ部２ｂのＯＡＭ処理部２７は、回線ＩＦ部２ｂの入力フレーム処理部２２により受信されたＣＣＭフレームに対応するペアフレームが回線ＩＦ部２ａの入力フレーム処理部２２により受信されていないと判定された場合、そのペアフレームを送信する。なお、ＯＡＭ処理部２７は、入力フレーム処理部２２により受信されたＣＣＭフレームと対応するペアフレームを送信する送信部の一例である。
【００６３】
図８は、装置制御部１の一例を示す構成図である。装置制御部１は、ＣＰＵ（Central Processing Unit）１０、ＲＯＭ（Read Only Memory）１１、ＲＡＭ（Random Access Memory）１２、メモリ１３、通信ポート１４、及びハードウェアインターフェース（ＨＷ−ＩＦ）部１５を有する。ＣＰＵ１０は、互いに信号の入出力ができるように、ＲＯＭ１１、ＲＡＭ１２、メモリ１３、通信ポート１４、及びＨＷ−ＩＦ１５と、バス１９を介して接続されている。
【００６４】
ＲＯＭ１１は、ＣＰＵ１０を駆動するプログラムが格納されている。ＲＡＭ１２は、ＣＰＵ１０のワーキングメモリとして機能する。通信ポート１４は、例えばＬＡＮ（Local Area Network）スイッチであり、ＯｐＳ９０と通信する。ＨＷ−ＩＦ１５は、ＣＰＵ１０とＯＡＭ処理部２７の通信を処理する。なお、ＨＷ−ＩＦ１５は、例えばＦＰＧＡなどにより構成される。
【００６５】
メモリ１３には、図５に例示されたフレームリスト１３０が記憶されている。なお、メモリ１３は、フレームリスト１３０を記憶する記憶部の一例である。
【００６６】
ＣＰＵ１０は、ＲＯＭ１１からプログラムを読み込むと、機能として、動作制御部１０５、モード切り替え部１０３、ＣＣＭ解析部１０１、ＣＣＭキャプチャ部１０２、タイマ部１０４、及びＭＥＰ設定部１００が生成される。動作制御部１０５は、モード切り替え部１０３、ＣＣＭ解析部１０１、ＣＣＭキャプチャ部１０２、及びＭＥＰ設定部１００に動作を指示することにより通信装置８ａ〜８ｄの動作のシーケンスを制御する。
【００６７】
モード切り替え部は、通信ポート１４を介したＯｐＳ９０からの指示に従い動作モードを切り替える。より具体的には、モード切り替え部は、ＭＥＰの自動設定モードをＯＮまたはＯＦＦする。動作制御部１０５は、ＭＥＰの自動設定モードがＯＮである場合、ＣＣＭ解析部１０１、ＣＣＭキャプチャ部１０２、及びＭＥＰ設定部１００に動作を指示する。
【００６８】
ＣＣＭキャプチャ部１０２は、ＯＡＭ処理部２７から入力されるＣＣＭフレームの情報に基づきＣＣＭフレームをキャプチャして、受信時刻、ＶＩＤ、ＥｔｈｅｒＴｙｐｅ、「ＭＥＧ  ＩＤ」、「ＭＥＧ  Ｌｅｖｅｌ」、「ＭＥＰ  ＩＤ」、ＯｐＣｏｄｅ、及びＰｅｒｉｏｄをフレームリスト１３０に登録する。ＣＣＭキャプチャ部１０２は、キャプチャする期間をタイマ部１０４により計時する。
【００６９】
ＣＣＭキャプチャ部１０２は、動作制御部１０５の指示に従いタイマ部１０４のタイマをスタートさせてキャプチャを開始し、タイマが満了するとキャプチャを終了してタイマをリセットする。そして、ＣＣＭキャプチャ部１０２は、キャプチャの終了を動作制御部１０５に通知する。動作制御部１０５は、キャプチャが終了するとＣＣＭ解析部１０１に動作を指示する。なお、タイマの満了値は、ペアフレームの受信の判定処理に要する時間が設定される。
【００７０】
ＣＣＭ解析部１０１は、動作制御部１０５の指示に従い、通信装置８ａ〜８ｄで受信されたＣＣＭフレームの解析処理を行う。ＣＣＭ解析部１０１は、判定部の一例であり、回線ＩＦ部２ａ,２ｂの一方の入力フレーム処理部２２により受信されたＣＣＭフレームに対応するペアフレームが、ＣＣＭフレームの受信から所定の期間内にＣＣＭフレーム他方の入力フレーム処理部２２により受信されたか否かを判定する。
【００７１】
ＣＣＭ解析部１０１は、ペアフレームが受信されていないＣＣＭフレームのキャプチャデータを動作制御部１０５に通知する。動作制御部１０５は、キャプチャデータに基づくＭＥＰの設定をＭＥＰ設定部１００に指示する。
【００７２】
より具体的には、ＣＣＭ解析部１０１は、図５を参照して述べたように、フレームリスト１３０に基づき上記の判定を行う。このため、ＣＣＭ解析部１０１は、通信装置８ａ〜８ｄ内のＣＣＭフレームの伝送処理の速度より低い速度で解析処理を行うことができる。
【００７３】
また、ＣＣＭ解析部１０１は、ＭＥＰの自動設定モードがＯＦＦである場合、上記の判定を停止する。この場合、ＭＥＰの設定が自動的に実行されることはないので、不適切なＣＣＭフレームにより誤ってＭＥＰが設定されることが防止される。
【００７４】
ＭＥＰ設定部１００は、動作制御部１０５の指示に従い、ペアフレームが受信されていないＣＣＭフレームのキャプチャデータに基づきＭＥＰを設定する。ＭＥＰ設定部１００は、設定部の一例であり、入力フレーム処理部２２により受信されたＣＣＭフレームと対応するペアフレームの「ＭＥＧ  ＩＤ」、「ＭＥＧ  Ｌｅｖｅｌ」、及び「ＭＥＰ  ＩＤ」をＯＡＭ処理部２７に設定する。ここで、「ＭＥＰ  ＩＤ」は、上述したように、入力フレーム処理部２２により受信されたＣＣＭフレームの「ＭＥＰ  ＩＤ」に１０００を加算した値となる。
【００７５】
これにより、ＯＡＭ処理部２７は、送信対象のＣＣＭフレームの「ＭＥＧ  ＩＤ」及び「ＭＥＧ  Ｌｅｖｅｌ」にそれぞれ、フレームリスト１３０内の該当ＣＣＭフレームの「ＭＥＧ  ＩＤ」及び「ＭＥＧ  Ｌｅｖｅｌ」をセットする。また、ＯＡＭ処理部２７は、送信対象のＣＣＭフレームの「ＭＥＰ  ＩＤ」に、フレームリスト１３０内の該当ＣＣＭフレームの「ＭＥＰ  ＩＤ」に１０００を加算した値をセットする。
【００７６】
このように、ＯＡＭ処理部２７は、ＭＥＰ設定部１００により設定された「ＭＥＧ  ＩＤ」、「ＭＥＧ  Ｌｅｖｅｌ」、及び「ＭＥＰ  ＩＤ」が付与されたＣＣＭフレームを生成し送信する。このため、ＯＡＭ処理部２７は、ＭＥＰ設定部１００の設定に基づき「ＭＥＧ  ＩＤ」、「ＭＥＧ  Ｌｅｖｅｌ」、及び「ＭＥＰ  ＩＤ」をセットすればよいため、処理が単純化される。
【００７７】
また、ＭＥＰ設定部１００は、フレームリスト１３０内の該当ＣＣＭフレームのＰｅｒｉｏｄをＯＡＭ処理部２７に設定する。このため、ＯＡＭ処理部２７は、Ｐｅｒｉｏｄに基づく期間ごとにＣＣＭフレームを送信する。これにより、図１の例では、通信装置８ｃに対向する通信装置８ａにおいてＬＯＣなどの警報が解除される。
【００７８】
このように、通信装置８ａ〜８ｃは、方路の相違する各回線ＩＦ部２ａ，２ｂの入力フレーム処理部２２でＣＣＭフレームを受信する。ＣＣＭ解析部１０１は、一方の回線ＩＦ部２ａ，２ｂの入力フレーム処理部２２で受信されたＣＣＭフレームに対応するペアフレームが、その受信から所定の期間（Ｐｅｒｉｏｄ）内に他方の回線ＩＦ部２ｂ，２ａで受信されたか否かを判定する。ＯＡＭ処理部２７は、ペアフレームが受信されていない場合、そのペアフレーム（ＣＣＭフレーム）を送信する。
【００７９】
したがって、通信装置８ａ〜８ｃは、ＯｐＳ９０からＭＥＰの設定作業を行うことなく、ＣＣＭフレームによりＶＬＡＮの通信状態を監視することができる。よって、通信装置８ａ〜８ｃは、ＭＥＰの設定作業の手間を軽減することができる。
【００８０】
次に、通信装置８ａ〜８ｃを用いる通信方法であるＭＥＰの自動設定処理について述べる。
【００８１】
図９は、ＭＥＰの自動設定処理の一例を示すフローチャートである。動作制御部１０５は、自動設定モードがＯＮであるか否かを判定する（ステップＳｔ１１）。動作制御部１０５は、自動設定モードがＯＦＦである場合（ステップＳｔ１１のＮｏ）、処理を終了する。
【００８２】
自動設定モードがＯＮである場合（ステップＳｔ１１のＹｅｓ）、ＣＣＭキャプチャ部１０２は、動作制御部１０５の指示に従い、タイマ部１０４のタイマをスタートさせる（ステップＳｔ１２）。次に、ＣＣＭキャプチャ部１０２は、ＯＡＭ処理部２７からの入力される情報によりＣＣＭフレームをキャプチャする（ステップＳｔ１３）。次に、ＣＣＭキャプチャ部１０２は、ＣＣＭフレームのＥｔｈｅｒＴｙｐｅ、ＶＩＤ、「ＭＥＧ  ＩＤ」、「ＭＥＧ  Ｌｅｖｅｌ」、「ＭＥＰ  ＩＤ」、ＯｐＣｏｄｅ、及びＰｅｒｉｏｄをフレームリスト１３０に登録する（ステップＳｔ１４）。
【００８３】
次に、ＣＣＭキャプチャ部１０２は、タイマ部１０４のタイマが満了したか否かを判定する（ステップＳｔ１５）。ＣＣＭキャプチャ部１０２は、タイマが満了していない場合（ステップＳｔ１５のＮｏ）、再びステップＳｔ１３以降の処理を実行する。また、ＣＣＭキャプチャ部１０２は、タイマが満了した場合（ステップＳｔ１５のＹｅｓ）、タイマをリセットする（ステップＳｔ１６）。
【００８４】
次に、ＣＣＭ解析部１０１は、動作制御部１０５の指示に従い、フレームリスト１３０に基づいて、３周期連続してペアフレームが受信されていないＣＣＭフレームを検索する（ステップＳｔ１７）。このとき、ＣＣＭ解析部１０１は、回線ＩＦ部２ａ，２ｂの一方の入力フレーム処理部２２で受信されたＣＣＭフレームに対応するペアフレームが、回線ＩＦ部２ａ，２ｂの他方の入力フレーム処理部２２でＰｅｒｉｏｄの３倍の期間受信されていないか否かを判定することにより該当ＣＣＭフレームを検索する。
【００８５】
次に、ＭＥＰ設定部１００は、動作制御部１０５の指示に従い、検索されたＣＣＭフレームから「ＭＥＧ  ＩＤ」、「ＭＥＧ  Ｌｅｖｅｌ」、「ＭＥＰ  ＩＤ」、及びＰｅｒｉｏｄ（ＭＥＰ情報）を取得する（ステップＳｔ１８）。次に、ＭＥＰ設定部１００は、検索されたＣＣＭフレームの「ＭＥＰ  ＩＤ」からＯＡＭ処理部２７の送信対象のＣＣＭフレームの「ＭＥＰ  ＩＤ」を決定する（ステップＳｔ１９）。上述したように、送信対象のＣＣＭフレームの「ＭＥＰ  ＩＤ」は、一例として、検索されたＣＣＭフレームの「ＭＥＰ  ＩＤ」に１０００を加算した値としてもよい。
【００８６】
次に、ＭＥＰ設定部１００は、「ＭＥＧ  ＩＤ」、「ＭＥＧ  Ｌｅｖｅｌ」、「ＭＥＰ  ＩＤ」、及びＰｅｒｉｏｄをＯＡＭ処理部２７に設定する（ステップＳｔ２０）。次に、ＯＡＭ処理部２７は、設定に従いＣＣＭフレームの生成及び送信を開始する（ステップＳｔ２１）。このようにして、ＭＥＰの自動設定処理は実行される。
【００８７】
本例において、通信装置８ｃのＭＥＰ８５に対向する通信装置８ａのＭＥＰ８４は、予めＯｐＳ９０から設定されるが、これに限定されない。通信装置８ａは、以下に述べるように、自動的にＭＥＰ８４を設定してもよい。
【００８８】
図１０は、対向する通信装置８ａのＭＥＰ８４の自動設定処理の一例を示すフローチャートである。通信装置８ａは、ＭＥＰ８４が設定されていないＶＬＡＮを検索する（ステップＳｔ３１）。次に、通信装置８ａは、検索されたＶＬＡＮのＭＥＰ８４を設定する（ステップＳｔ３２）。次に、ＭＥＰ８４は、ＣＣＭフレームの生成及び送信を開始する（ステップＳｔ３３）。これにより、ＭＥＰ８４から通信装置８ｃにＣＣＭフレームが送信され、通信装置８ｃにおいてＭＥＰ８５が設定される。
【００８９】
次に、ＭＥＰ８４は、ＣＣＭフレームの送信から所定の期間内に、ＭＥＰ８５からのＣＣＭフレームが受信されたか否かを判定する（ステップＳｔ３４）。ＭＥＰ８４は、ＣＣＭフレームが受信されていない場合（ステップＳｔ３４のＮｏ）、ＬＯＣなどの警報を検出してＯｐＳ９０に出力する（ステップＳｔ３６）。その後、再びステップＳｔ３４の処理が実行される。
【００９０】
また、ＣＣＭフレームが受信された場合（ステップＳｔ３４のＹｅｓ）、通信装置８ａは、受信したＣＣＭフレームの「ＭＥＰ  ＩＤ」からＭＥＰ８４の「ｐｅｅｒ  ＭＥＰ  ＩＤ」を決定する（ステップＳｔ３５）。「ｐｅｅｒ  ＭＥＰ  ＩＤ」はＭＥＰ８４に設定される。
【００９１】
このように、通信装置８ａのＭＥＰ８４の設定も自動化することにより、ネットワークＮＷのＭＥＰの設定作業の手間をさらに軽減することができる。
【００９２】
上述した実施形態は本発明の好適な実施の例である。但し、これに限定されるものではなく、本発明の要旨を逸脱しない範囲内において種々変形実施可能である。
【００９３】
なお、以上の説明に関して更に以下の付記を開示する。
（付記１）  他装置との通信状態を監視するための監視フレームを受信する第１受信部及び第２受信部と、
前記第１受信部により受信された監視フレームの識別情報に対応する識別情報を有する監視フレームが、該受信から所定の期間内に前記第２受信部により受信されたか否かを判定する判定部と、
前記判定部が、前記第１受信部により受信された監視フレームの識別情報に対応する識別情報を有する監視フレームが前記第２受信部により受信されていないと判定した場合、前記第１受信部により受信された監視フレームの識別情報と対応する識別情報を有する監視フレームを送信する送信部とを有することを特徴とする通信装置。
（付記２）  フレームリストを記憶する記憶部を有し、
前記判定部は、前記第１受信部及び前記第２受信部により受信された監視フレームの識別情報を前記フレームリストに登録し、前記フレームリストに基づいて、前記第１受信部により受信された監視フレームの識別情報に対応する識別情報を有する監視フレームが前記第２受信部により受信されたか否かを判定することを特徴とする付記１に記載の通信装置。
（付記３）  前記第１受信部により受信された監視フレームの識別情報と対応する識別情報を前記送信部に設定する設定部を有し、
前記送信部は、前記設定部により設定された識別情報が付与された監視フレームを送信することを特徴とする付記１または２に記載の通信装置。
（付記４）  前記判定部は、動作設定に応じて判定を停止することを特徴とする付記１乃至３の何れかに記載の通信装置。
（付記５）  他装置との通信状態を監視するための監視フレームを第１受信部及び第２受信部により受信し、
前記第１受信部により受信された監視フレームの識別情報に対応する識別情報を有する監視フレームが、該受信から所定の期間内に前記第２受信部により受信されたか否かを判定し、
前記第１受信部により受信された監視フレームの識別情報に対応する識別情報を有する監視フレームが前記第２受信部により受信されていないと判定した場合、前記第１受信部により受信された監視フレームの識別情報と対応する識別情報を有する監視フレームを送信することを特徴とする通信方法。
（付記６）  前記第１受信部及び前記第２受信部により受信された監視フレームの識別情報をフレームリストに登録し、前記フレームリストに基づいて、前記第１受信部により受信された監視フレームの識別情報に対応する識別情報を有する監視フレームが前記第２受信部により受信されたか否かを判定することを特徴とする付記５に記載の通信方法。
（付記７）  前記第１受信部により受信された監視フレームの識別情報と対応する識別情報を設定し、
該設定された識別情報が付与された監視フレームを送信することを特徴とする付記５または６に記載の通信方法。
（付記８）  動作設定に応じて前記判定を停止することを特徴とする付記５乃至７の何れかに記載の通信方法。
【符号の説明】
【００９４】
８ａ〜８ｄ      通信装置
１０       ＣＰＵ
１３       メモリ
２２       入力フレーム処理部
２７       ＯＡＭ処理部
１００      ＭＥＰ設定部
１０１      ＣＣＭ解析部
１０２      ＣＣＭキャプチャ部
１３０      フレームリスト
【図１】
2018142824.tif 000003
【図２】
2018142824.tif 000004
【図３】
2018142824.tif 000005
【図４】
2018142824.tif 000006
【図５】
2018142824.tif 000007
【図６】
2018142824.tif 000008
【図７】
2018142824.tif 000009
【図８】
2018142824.tif 000010
【図９】
2018142824.tif 000011
【図１０】
2018142824.tif 000012